(57)【要約】      （修正有）【課題】コネクタの周囲のスペースが狭い場合やコネクタが並接して配置されている場合であっても機器の壁面に取り付けることができ、プラグの抜けを防止することができるプラグ抜け防止装置を提供する。【解決手段】機器のコネクタに差し込んだプラグが抜けないようにするプラグ抜けプラグ抜け防止装置Ａであって、装置本体１はプラグを側面から挟持する挟持片４と、該挟持片４に直交する方向に配置され、機器の壁面に当接する当接片５とで構成されるとともに、上記当接片５の上記機器に当接する当接面５ａには上記機器の壁面に接着する接着部材３を設け、上記装置本体１が上記挟持片４でプラグを挟持した状態を保持部材２で保持するようにした。【選択図】図１
0003143879.tif 000002
【実用新案登録請求の範囲】
【請求項１】
機器のコネクタに差し込んだプラグが抜けないようにする、以下の要件を備えることを特徴とするプラグ抜け防止装置。
（イ）装置本体はプラグを側面から挟持する挟持片と、該挟持片に直交する方向に配置され機器の壁面に当接する当接片とで構成されていること
（ロ）上記当接片の上記機器に当接する当接面には上記機器の壁面に接着する接着部材を設けたこと
（ハ）上記装置本体が上記挟持片でプラグを挟持した状態を保持部材で保持するようにしたこと
【請求項２】
前記接着部材を両面接着テープで構成し、前記保持部材を接着テープで構成した、請求項１記載のプラグ抜け防止装置。
【考案の詳細な説明】
【技術分野】
【０００１】
本考案は、プラグ抜け防止装置、詳しくは信号ケーブルのプラグがコネクタから抜けないようにするプラグ抜け防止装置に関するものである。
【背景技術】
【０００２】
従来、機器のコネクタに差し込んだプラグが抜けないようにする様々なプラグ抜け防止装置が提案され、本出願人からも提案されている（例えば、特許文献１）。
【０００３】
このプラグ抜け防止装置は、工具を必要とせず簡単にプラグを機器に固定することができるようにしたもので、プラグの基部に係合させる係合板の両側部に帯状の面ファスナーの一端を取り付け、機器の上下面又は両側面には上記係合板に取り付けた面ファスナーと係止し合う面ファスナーを貼着し、プラグの基部を係合板に係合させ面ファスナーを機器に貼着した面ファスナーに押し付けることにより簡単にプラグの抜け防止をセットすることができるようにしたものである。
【特許文献１】特開２００４−２５３１６４号公報
【考案の開示】
【考案が解決しようとする課題】
【０００４】
本考案が解決しようとする問題点は、電源のプラグのような場合は、プラグを差し込むソケットの近傍には面ファスナーを貼着するスペースを取ることができるが、信号ケーブルの小さなプラグ（例えば、ＵＳＢケーブル）の場合は、複数のコネクタが併設されている場合があり、機器に面ファスナーを貼着するスペースが取れない問題があった。
【０００５】
本考案は、上記問題点を解決し、コネクタの周囲のスペースが狭い場合やコネクタが並接して配置されている場合であっても機器に取り付けることができ、プラグの抜けを防止することができるプラグ抜け防止装置を提供することを課題とする。
【課題を解決するための手段】
【０００６】
前記課題を解決するために本考案に係るプラグ抜け防止装置は、機器のコネクタに差し込んだプラグが抜けないようにする、以下の要件を備えることを特徴とする。
（イ）装置本体はプラグを側面から挟持する挟持片と、該挟持片に直交する方向に配置され機器の壁面に当接する当接片とで構成されていること
（ロ）上記当接片の上記機器に当接する当接面には上記機器の壁面に接着する接着部材を設けたこと
（ハ）上記装置本体が上記挟持片でプラグを挟持した状態を保持部材で保持するようにしたこと
【０００７】
なお、前記接着部材を両面接着テープで構成し、前記保持部材を接着テープで構成することが好ましい。
【考案の効果】
【０００８】
本考案によれば、コネクタの周囲のスペースが小さい場合や、コネクタが複数併設されている場合であっても、プラグを機器に固定することができるプラグ抜け防止装置を提供することができる。
【考案を実施するための最良の形態】
【０００９】
図１は、本考案に係るプラグ抜け防止装置Ａの一例を示し、このプラグ抜け防止装置Ａはプラグに取り付ける装置本体１と、プラグに取り付けた状態を保持する保持部材２と、プラグを保持した状態の装置本体１を機器の壁面に接着する接着部材３とで構成されている。
【００１０】
上記装置本体１は、弾性を有する金属（例えば、ステンレスバネ鋼）の薄板を加工して形成したもので、略コ字状に折り曲げて形成した挟持片４と、この挟持片４に直交して形成され、機器の壁面に当接させる当接片５とで構成されている。なお、上記挟持片４（４ａ、４ｂ）は挟持状態を維持できるように先窄まりに形成されている。
【００１１】
接着部材３は、装置本体１を機器の壁面に接着するためもので、図２（ａ）（ｂ）に示すように、当接片５の機器の壁面に当接する側の当接面５ａに取り付けてある。この接着部材３は接着力の強い両面接着テープ（例えば、住友スリーエム(株)の両面テープＹ−４９５０）で構成されていればよい。
【００１２】
保持部材２は、装置本体１をプラグに取り付けた状態を保持するもので、プラグの周面に巻きつける接着テープ（例えば住友スリーエム(株)のスコッチガラスクロステープＮｏ３６１）で構成されていればよい。
【００１３】
上記構成のプラグ抜け防止装置Ａを使用する際は、図３（ａ）に示すように、装置本体１の挟持片４がプラグ（例えば、ＵＳＢ端子）Ｐを上下面から挟みつけるように、挟持片４を押し広げながらプラグＰを挟持片４ａ、４ｂ間に差し込む。挟持片４がプラグＰを挟持した状態になるように装置本体１とプラグＰとを合体させたら（図３（ｂ）参照）、装置本体１とプラグＰとの合体状態を保持させるための保持部材２である接着テープを、図３（ｃ）に示すように、プラグＰの上から巻きつけ、複数回巻きつけたら切断すればよい（図３（ｄ）参照）。この状態では、装置本体１はプラグＰを挟持した状態を保持することができ、装置本体１とプラグＰとは保持部材２を外さない限り分離することはないし、保持部材２を外せば容易に分離することができる。
【００１４】
なお、上記保持部材２は、装置本体１がプラグＰを挟持した状態を保持することができるものであれば、接着テープに限定されず、例えばクランクバンドなどのクランプ部材であっても構わない。
【００１５】
このようにして、装置本体１でプラグＰを挟持した状態を保持部材２で保持したならば、図４（ａ）に示すように、機器の壁面に配置されているコネクタＣにプラグＰの先端を差し込めばよい。プラグＰを充分に差し込むと、当接片５に貼り付けてある接着剤３である両面接着テープが機器の壁面に貼着し、プラグＰはコネクタＣに差し込まれた状態で固定され（図４（ｂ）参照）、両面接着テープ３の強力な接着力で、プラグＰはコネクタＣから容易に抜けない状態にすることができる。
【００１６】
図５（ａ）（ｂ）は、コネクタＣが複数（例えば、２つ）並接して配置されている場合に使用するプラグ抜け防止装置の装置本体１を示し、上述のプラグ抜け防止装置ＡではプラグＰの周囲に保持部材２である接着テープが巻き付けられているためプラグＰ全体の太さが大きくなるため、コネクタＣが近接している場合は保持部材２が邪魔をして対応できないので、２つの挟持片４を一体に構成したものである。
【００１７】
この装置本体１は、略コ字状に折り曲げて形成した挟持片４を２つ作成するとともに、逆Ｌ字状に折り曲げて当接片５を形成したプレート１０を作成し、２つの挟持片４を、図６に示すように、挟持片４の背部が上記プレート１０の前面にスポット溶接で固定するようにしたもので、当接片５の当接面５ａには上述した接着部材３である両面接着テープを貼り付ければよい。
【００１８】
上記プラグ抜け防止装置Ａを使用する場合は、図７（ａ）に示すように、装置本体１の挟持片４がプラグＰを上下面から挟みつけるように、挟持片４を押し広げながらプラグＰを挟持片４間に差し込む。挟持片４がプラグＰを挟持する状態になるように装置本体１をプラグＰに取り付けたら（図７（ｂ）参照）、装置本体１とプラグＰとの合体状態を保持させるための保持部材２である接着テープを、図７（ｃ）に示すように、プラグＰの上から巻きつけ、複数回巻きつけたら切断すればよい（図７（ｄ）参照）。
【００１９】
このようにして、装置本体１でプラグＰを挟持した状態を保持部材２で保持したならば、図８（ａ）に示すように、機器の壁面に配置されているコネクタＣにプラグＰを差し込めばよい。プラグＰを充分に差し込むと、当接片５に貼り付けてある両面接着テープ３が機器の壁面に接着し、プラグＰはコネクタＣに差し込まれた状態で固定され（図８（ｂ）参照）、両面接着テープ３の強力な接着力で、プラグＰはコネクタＣから容易に抜けない状態にすることができる。
【図面の簡単な説明】
【００２０】
【図１】本考案に係るプラグ抜け防止装置の構成を示す斜視図
【図２】（ａ）（ｂ）は装置本体に接着部材を取り付ける状態を説明する斜視図
【図３】（ａ）〜（ｄ）はプラグにプラグ抜け防止装置を取り付ける状態の説明図
【図４】（ａ）（ｂ）はプラグ抜け防止装置を取り付けたプラグを機器のコネクタに取り付ける状態の説明図
【図５】（ａ）（ｂ）は他の例のプラグ抜け防止装置の装置本体を説明する斜視図
【図６】上記他の例の装置本体の分解斜視図
【図７】（ａ）〜（ｄ）はプラグに他の例のプラグ抜け防止装置を取り付ける状態の説明図
【図８】（ａ）（ｂ）は他の例のプラグ抜け防止装置を取り付けたプラグを機器のコネクタに取り付ける状態の説明図
【符号の説明】
【００２１】
１    装置本体
２    保持部材（接着テープ）
３    接着部材（両面接着テープ）
４    挟持片
５    当接片
Ｃ    コネクタ
Ｐ    プラグ
Ａ    プラグ抜け防止装置
【図１】
0003143879.tif 000003
【図２】
0003143879.tif 000004
【図３】
0003143879.tif 000005
【図４】
0003143879.tif 000006
【図５】
0003143879.tif 000007
【図６】
0003143879.tif 000008
【図７】
0003143879.tif 000009
【図８】
0003143879.tif 000010